(57)【要約】定量バルブアセンブリを備える脇の下用製品及びスプレーパッケージ。本脇の下用製品は、パッケージの内側に内包され、加圧されている。本脇の下用製品は、液体又はエマルションの形態である。本脇の下用製品は、制汗剤又は防臭剤である。本脇の下用製品は、可溶化された噴射剤及び／又は可溶化されていない噴射剤を含有する。【特許請求の範囲】
【請求項１】
（ａ）定量バルブアセンブリを備えるスプレーパッケージと、
（ｂ）前記パッケージの内側に内包されており、加圧されている脇の下用製品が液体又はエマルションの形態である脇の下用製品と、
を備える脇の下用製品及びスプレーパッケージ。
【請求項２】
前記脇の下用製品が制汗剤及び防臭剤である、請求項１に記載の脇の下用製品及びスプレーパッケージ。
【請求項３】
前記脇の下用製品が可溶化された圧縮ガスを含有する、請求項１に記載の脇の下用製品及びスプレーパッケージ。
【請求項４】
前記スプレーパッケージが可溶化されていない圧縮ガスも含む、請求項１に記載の脇の下用製品及びスプレーパッケージ。
【請求項５】
前記脇の下用製品が、制汗剤活性物質を含有し、前記制汗剤活性物質が、アルミニウムクロロハイドレート、アルミニウムジクロロハイドレート、アルミニウムセスキクロロハイドレート、アルミニウムクロロハイドレックスプロピレングリコール錯体、アルミニウムジクロロハイドレックスプロピレングリコール錯体、アルミニウムセスキクロロハイドレックスプロピレングリコール錯体、アルミニウムクロロハイドレックスポリエチレングリコール錯体、アルミニウムジクロロハイドレックスポリエチレングリコール錯体、アルミニウムセスキクロロハイドレックスポリエチレングリコール錯体、緩衝化したアルミニウムスルフェート、アルミニウムジルコニウムトリクロロハイドレート、アルミニウムジルコニウムテトラクロロハイドレート、アルミニウムジルコニウムペンタクロロハイドレート、アルミニウムジルコニウムオクタクロロハイドレート、アルミニウムジルコニウムトリクロロハイドレックスグリシン、アルミニウムジルコニウムテトラクロロハイドレックスグリシン、アルミニウムジルコニウムペンタクロロハイドレックスグリシン、アルミニウムジルコニウムオクタクロロハイドレックスグリシン及びそれらの組合せから成る群から選択される、請求項１に記載の脇の下用製品及びスプレーパッケージ。
【請求項６】
前記脇の下用製品が、抗菌剤、抗真菌剤、悪臭吸収剤、芳香剤、及びそれらの組合せから成る群より選択される防臭剤活性物質を含む、請求項１に記載の脇の下用製品及びスプレーパッケージ。
【発明の詳細な説明】
【技術分野】
【０００１】
本発明は、消費者の受容性を高めつつ、少ない量の製品を送達し得る、定量バルブアセンブリを備える加圧された脇の下用製品及びパッケージに関する。
【背景技術】
【０００２】
消費者製品産業は、消費者のニーズを満たすように設計される広範に多様な製品を世界中の消費者に提供する。これらのパーソナルケア製品は、消費者の機能的要求を満たすだけでなく、快い使用経験をもまた創り出すように設計される。今日の消費者に利用可能である製品の数及び多様性は、莫大であり、そして広範な範囲の機能的設計、審美的設計、及び意図される使用におよぶ。これらの製品は多くの方法で分類され得る。例えば、製品は、機能（洗浄、臭い防止、トリートメント、美容強化、感覚的経験など）、形態（スプレー、クリーム、ローション、ふき取り繊維、バー、泡立て石鹸など）、及び／又は意図される使用（髪用、歯用、顔の皮膚用、脚用、脇の下用、全身用）によって分類され得る。機能、形態、及び意図される使用を考慮する場合、必要とされるパッケージを考慮することが重要である。パッケージのタイプ及びこのパッケージの機能は、製品と一体化された様式において作用しなくてはならない。ヘアスプレー、防臭剤；料理用油、絵の具、及びクレンザーのような加圧されたパッケージはすべて、スプレー、ムース、又はジェルとして送達される場合に受容されてきた。
【０００３】
現在市販されている脇の下用製品（例えば、制汗剤、防臭剤）は典型的に、容器中のスティック、容器中のジェル、又は加圧されたパッケージ中の粉末化活性剤（懸濁又は溶解される）の形態において販売される。これらの既存の製品形態と異なり、本発明が意図することは、消費者により視覚的に魅力的である実質的に単相の製品を提供することを含むが、これに制限されない多様な理由のために、加圧されたパッケージ中に液体又はエマルションの脇の下用製品を示すことである。
【０００４】
標的とする表面（例えば、消費者の脇の下）へ制汗剤製品の適切な量を適用することにおいて、最終的に付着する制汗活性剤の量を考慮しなくてはならない。表面を処理するために、製品の形態にかかわらず、標的とする表面へ約０．０７５グラム〜約０．５グラムの制汗活性剤を送達することが一般に所望される。スプレーパッケージ（例えば、加圧されたエアゾールパッケージ）の使用を考慮すると、消費者は彼らの脇の下に最終的に送達される製品の量を通常は見ないので、典型的な消費者は、送達される製品の量にかかわらず、平均２秒間製品をスプレーする（すなわち、スプレーパッケージを作動させる）ことが発見された。それゆえ、歴史的に制汗剤製品を噴霧するパッケージを設計する場合、当業者はまず、連続的に２秒間スプレーするこの最も重要な消費者の挙動に固執しなくてはならない。全ての他の設計の局面は次いで以下に述べる。
【発明の開示】
【発明が解決しようとする課題】
【０００５】
液体又はエマルションの脇の下用製品が、粉末又はジェルよりも良好に脇の下をコートする、より薄くてより連続的な膜層を提供可能であることが見出された。それゆえ、類似の製品効力の結果を達成するために液体又はエマルションをスプレーする場合、より小さな量の製品が必要とされ得ることが発見された。それゆえ、液体又はエマルションの製品をスプレーするのが多過ぎると、湿った／流れやすい化粧品の感触を生じ、一方液体又はエマルションの製品をスプレーするのが少な過ぎると、受容されない効力の結果を生じ得る。歴史的に、より少ない量の製品をスプレーすることは、２つの設計技術が別々に又は共に使用される。まず、パッケージは、その流動チャネル内により小さな口径を有するように設計されるが、より小さな口はより詰まる傾向があり（特に製品中の不純物の存在下で）、そしてそれらは製品のより小さな粒子を生成し、これは所望されないスプレー特性を有する（すなわち、小さな粒子はより大きい粒子ほど遠くには移動しない）。第２に、パッケージ内の製品の内圧を減少させると、しかしながらこのことは製品組成を再処方することを必要とする。
【０００６】
２秒間スプレーするという長年の消費者の挙動を克服し、さらにまた、流路口径を減少するか、又はパッケージの内圧を変化させるという問題のある技術よりも良好で堅実な解決を提供する、液体又はエマルションの脇の下用製品を散布できるパッケージが必要とされる。定量型バルブ系を有するスプレーパッケージがこれらの所望される利益を提供することが発見された。さらにそして驚くべきことに、スプレーされた製品の粒度分布に積極的に影響することによって、定量型のバルブ系は、（１）最終的に標的表面に付着される製品の量（すなわち、製品付着）を増加し、そして（２）空気中に散らばり、したがって消費者により吸入されるか、又は環境に付着しやすいスプレーされた粒子の量（すなわち、粒子の量（gassiness））を減少させる。これらの発見はより詳細に考察される。
【課題を解決するための手段】
【０００７】
本発明は、脇の下用製品及びスプレーパッケージを提供する。本スプレーパッケージは、定量バルブアセンブリを備える。本脇の下用製品は、パッケージの内側に内包されており、加圧されている。本脇の下用製品は、液体又はエマルションの形態である。本脇の下用製品は、制汗剤又は防臭剤である。本脇の下用製品は、可溶化された噴射剤及び／又は可溶化されていない噴射剤を含有する。
【０００８】
本発明の他の利益及び新しい特徴は、本発明を実施するために考察される様々な様態を単に説明する以下の詳細な記述から、当業者に明白になるであろう。明らかなように、本発明は、すべて本発明から逸脱しない他の明白な異なる態様が可能である。それ故に、図面及び説明は本質的に説明のためのものであり、制限するものではない。
【発明を実施するための最良の形態】
【０００９】
本明細書は、本発明を特に指摘し、明確に請求する請求項で完結されるが、好ましい実施形態についての次の説明を、同じ参照番号が同一の要素を特定する添付図面と共に理解することにより、本発明はより良く理解されると考えられる。
【００１０】
本発明の様々な代表的な実施形態について詳細に説明するが、その例のいくつかは添付の図によっても説明し、同じ数字は全ての図において同一要素を指し、下二桁が同じ数字は、実施形態の中の対応する要素を指す。
【００１１】
図１は、定量バルブアセンブリ１０を備えるスプレーパッケージ５の非限定的な実施形態を示す。定量バルブアセンブリ１０は、バルブハウジング２０に対して製品（例えば、脇の下用製品）を送達するための流路を提供するディップチューブ１５を備える。バルブハウジング２０は、製品を封じ込めるための容積チャンバを提供し、さらに、スプリング３０及びステム３５を支持するための機械アセンブリ領域も備える。スプリング３０及びステム３５は、個々に又は組み合わされた部品として構築されてもよい。スプリング３０は、ステム３５を閉位置／密閉位置まで戻すための一定のエネルギーを与える。ステム３５は、バルブハウジング２０とアクチュエーター９０との間を接続する。定量バルブにおいて、ステム３５は、ディップチューブ１５及びバルブハウジング２０からの製品の流れを遮断する機能を与える。この遮断操作は、ステムオリフィス８０が開くとき又は開く前に、ステム３５の底端部がディップチューブ１５の上面又はバルブハウジング２０の底端部にぶつかるように、ステム３５を設計することによって達成される。この方式で開口部及び遮断機構を設計することによって、バルブハウジング２０内に含有される製品のみが分配される。フェルール４０は、容器本体７０に対して定量バルブアセンブリ１０を機械的に固定する。バルブガスケット５０は、フェルール４０と容器本体７０との間のシールを提供する。ステムガスケット６０は、バルブハウジング２０とフェルール４０との間のシール、及びステムオリフィス８０と製品の流れとの間のシールを提供する。定量バルブアセンブリ１０中のガスケットはそれぞれ、圧縮されて、表面とぴったり合ってもよい。バルブガスケット４０について、圧縮は、フェルール４０と容器本体７０との間の任意の潜在的な漏れを最小限にする。ステムガスケット６０について、圧縮は、バルブハウジング２０と周囲との間、又はステムオリフィス８０に対する任意の潜在的な漏れを最小限にする。ステムオリフィス８０は、バルブハウジング２０からアクチュエーター９０までの流路を提供する。
【００１２】
図２は、連続フローバルブアセンブリ１１０の例示的な実施形態を示す。連続フローバルブアセンブリ１１０は、バルブハウジング１２０に対して製品（例えば、脇の下用製品）を送達するための流路を提供するディップチューブ１１５を備える。バルブハウジング１２０は、スプリング３０及びステム３５を支持するための機械アセンブリ領域を備える。スプリング３０及びステム３５は、個々に又は組み合わされた部品として構築されてもよい。スプリング３０は、ステム３５を閉位置／密閉位置まで戻すための一定のエネルギーを与える。ステムオリフィス１８０は、バルブハウジング２０からアクチュエーター１９０までの流路を提供する。アクチュエーター１９０を押し下げると、パッケージから連続した形態で製品がスプレーされる。出口チャネル１９５は、スプレーされるほんの前に、製品の流れのための出口流路を提供する。
【００１３】
本発明を理解するために、定量バルブアセンブリ１０は、送達される製品の量が制御されるように、定量であることのみが可能である（例えば、バルブハウジング２０の体積によって制御される）ことが理解されるべきである。対照的に、連続フローバルブアセンブリ１００は、用量を制御するのではなく、むしろ送達される製品の量は、消費者がアクチュエーター１９０を押し下げている時間に依存する。定量バルブアセンブリ１０の設計は、種々の様式で改変されてもよいが、重要な特徴は、使用されるバルブアセンブリが制御された体積の製品を送達しなければならない（すなわち、連続スプレーではない）ことが、当業者にも理解されるべきである。
【００１４】
さらにそして驚くべきことに、スプレーされた製品の粒度分布に積極的に影響することによって、定量型のバルブ系は、（１）最終的に標的表面に付着される製品の量（すなわち、製品付着）を増加し、そして（２）空気中に散らばり、したがって消費者により吸入されるか、又は環境に付着しやすいスプレーされた粒子の量（すなわち、粒子の量（gassiness））を減少させる。
【００１５】
スプレーされる粉末と比較して、その改良された付着特性のために、上述のように、より少量の液体製品又はエマルション製品をスプレーすることが望ましい。定量バルブアセンブリ１０は、同様のオリフィス径を有する連続フローバルブアセンブリ１００と比較した場合、より少量の製品を送達可能であることが発見され、理解された。以下の実験において使用されるバルブが同一のオリフィス径を有さない場合、（１）オリフィス径が増加するとスプレー速度が増加する［比較サンプルＡとＢ］及び（２）連続フローバルブアセンブリ１００は、定量化バルブアセンブリ１０よりも高いスプレー速度を有する［比較サンプルＢとＣ、ただしＣはオリフィス径がより小さい］ことを理解すべきである。理論によって束縛されることを望まないが、連続フローバルブアセンブリ１００は、アクチュエーターが開放されるまで容器本体内の一定圧から連続的な背圧を受け、一方、定量化バルブアセンブリ１０は、製品がすでに体積測定され、容器本体の残りから分離されているため、最小の背圧を有する。さらに、連続フローバルブアセンブリ１００中の背圧によって、その後にスプレーされる粒子が動力学的に付勢され、せん断を生じる追加の衝撃又は追加の空気力学的抵抗のいずれかによって、より小さな粒子において生じると考えられる。
【００１６】
【表１】
2005529149.tif 000002
スプレー特性におけるこれらの発見された相違点はまた、スプレーされる製品の粒度分布（ＰＳＤ）に影響を与えることがわかった。例えば、一般的に測定されたＤｖ（１０）値は、スプレーされた製品の体積の最も低い１０％における粒子の平均粒子サイズの測定値である。同様に、Ｄｖ（５０）は、スプレーされた製品の５０％の平均粒子サイズの測定値であり、Ｄｖ（９０）は、スプレーされた製品の体積の９０％の平均粒子サイズの測定値である。Ｄｖ（１０）値が大きくなると、スプレーされた製品の粒子の量（gassiness）又は粉塵の量（dustiness）（本明細書中で、標的表面に届かず、空気中に広がり、消費者によって吸入され、又は標的としていない表面上に付着する可能性が高いスプレーされた粒子として定義される）が減少することが理解される。粒子の量（gassiness）が本質的に減少すると、多くの製品が標的表面上に付着する（すなわち、製品付着）可能性が増加する。また、スプレーされた製品の全体的なＰＳＤ（例えば、Ｄｖ（１０）、Ｄｖ（５０）及びＤｖ（９０））が増大することが、製品付着を改良するために望ましいと現在は考えられている。
【００１７】
【表２】
2005529149.tif 000003
以下の例は、本発明を実施する上で成功している定量バルブアセンブリの２つの非限定的な例である：
１．シークイスト（Seaquist）によって製造
部品番号：ＭＶ２０−２５
２５ＭＣＬ定量体
０.０５センチ（０．０２０インチ）ステム
Ｂｕｎａ−Ｐダイアフラム
０.０５３センチ（０．０２１インチ）スプリング
Ｂｕｎａ−Ｐライナー
フェルール：アノード化されていない
キャピラリー０.１１４センチ（０．０４５インチ）Ｉ．Ｄ．ディップチューブ、１０センチ（４インチ）長さに切断
２．シークイスト（Seaquist）によって製造
部品番号：ＭＶ２０−１８５
１８５ＭＣＬ定量体
０.０５センチ（０．０２０インチ）ステム
Ｂｕｎａ−Ｐダイアフラム
０.０５３センチ（０．０２１インチ）スプリング
Ｂｕｎａ−Ｐライナー
フェルール：アノード化されていない
キャピラリー０.１１４センチ（０．０４５インチ）Ｉ．Ｄ．ディップチューブ、１０センチ（４インチ）長さに切断
【００１８】
（液体エアゾール制汗剤及び防臭剤）
エアゾール制汗剤又は防臭剤は、一般的に、液体製品及び粉末製品の２つの分類に分けることができる。これらの２つの分類は、制汗剤又は防臭剤の活性物質の物理的状態に基づいて異なる。懸濁製品は、液体キャリア中に懸濁する粉末の活性物質を利用する。粉末化された活性物質は、さらっとした感触が有効な製品を与えることができるが、一般的に顕著な量の白いものが皮膚及び／又は衣服の上に残り、これは消費者は歓迎しない。
【００１９】
本発明の液体制汗剤又は防臭剤製品において、活性物質は溶媒に溶かされる。次いで、可溶化された活性物質は、分散されるか、又はキャリア液体中に溶解される。可溶化された活性物質がキャリア液体中に分散している製品は、一般的に、液体エマルション製品と称される。可溶化された活性物質がキャリア液体中に溶解している製品は、一般的に、単一相液体製品と称される。本発明の目的は、液体エマルション及び単一相の液体制汗剤及び防臭剤製品のための、定量送達するパッケージを提供することである。
【００２０】
（噴射剤）
本発明のエアゾール制汗剤組成物及び防臭剤組成物は、適用するために缶から製品を押し出すために十分な圧力を作り出す噴射剤を含む。本発明の製品は、典型的に、適用方法に依存して、約６９ｋＰａ（１０ｐｓｉｇ）〜約５５１ｋＰａ（８０ｐｓｉｇ）のパッケージ内圧を有する。圧力レベルは、使用される噴射剤の種類及び濃度によって制御してもよい。噴射剤は、製品組成物内に可溶化されるか、又は可溶化されていなくてもよい（例えば、振ることによって製品中に乳化する、又はパッケージのヘッドスペース中に包含される。
【００２１】
本発明のエアゾール制汗剤組成物の噴射剤成分は、選択される処方及びパッケージと適合性のあるいずれかの既知の噴射剤構成を含有してもよい。好ましい噴射剤は、一般に、制汗剤組成物内に配合される場合、液化ガスの形態であり、ジメチルエーテル、１，１ジフルオロエタン、１，１，１，２テトラフルオロエタン、ブタン、イソブタン、プロパン、イソペンタン、ペンタン又はそれらの組合せが挙げられる。ジメチルエーテル、又はジメチルエーテルと炭化水素噴射剤との組合せは、単一相の液体制汗剤又は防臭剤である製品にとって好ましい。炭化水素噴射剤、例えば、ブタン、イソブタン、プロパン、イソペンタン、ペンタンは、液体エマルション制汗剤又は防臭剤である製品にとって好ましい。本発明の無水制汗剤組成物における全噴射剤の濃度は、組成物の約５重量％〜約９９重量％、より一般的には約１５重量％〜約９０重量％、より一層好ましくは約２０重量％〜約７０重量％の範囲である。他の好適な噴射剤としては、亜酸化窒素、二酸化炭素、並びにトククロロフルオロメタン、ジクロロジフルオロメタン、ジクロロテトラフルオロエタン、トリクロロトリフルオロエタン、トリクロロテトラフルオロエタン、及びモノクロロジフルオロメタンのようなハロゲン化炭化水素、及びこれらの組合せが挙げられる。
【００２２】
（制汗剤及び防臭剤活性物質）
本発明のエアゾール制汗剤及び防臭剤組成物は、ヒトの皮膚への適用に好適な制汗剤活性物質及び／又は防臭剤活性物質を含む。本組成物中の制汗剤活性物質及び／又は防臭剤活性物質の濃度は、所望の発汗湿気及び／又は臭気制御効果のある最終制汗剤製品を提供するのに十分であるべきである。
【００２３】
本発明のエアゾール制汗剤組成物中の制汗剤活性物質の濃度は、好ましくは組成物の約０．１重量％〜約２６重量％、より好ましくは約１重量％〜約２０重量％、より一層好ましくは約２重量％〜約１０重量％の範囲である。すべてのこのような重量パーセントは、水、及びグリシン、グリシン塩などのいずれかの錯体化剤又は緩衝剤、又は他の錯体化剤若しくは緩衝剤を除いた無水金属塩を基に計算する。
【００２４】
本発明の制汗剤組成物に使用される制汗剤活性物質には、制汗活性を有するいかなる化合物、組成物、又は他の物質も包含される。好ましい制汗剤活性物質には、収れん性のある金属塩、特にアルミニウム、ジルコニウム、及び亜鉛の無機塩及び有機塩、並びにそれらの混合物が挙げられる。とりわけ好ましいのは、ハロゲン化アルミニウム、アルミニウムクロロハイドレート、ヒドロキシハロゲン化アルミニウム、オキシハロゲン化ジルコニウム、ヒドロキシハロゲン化ジルコニウム、及びそれらの混合物のような塩である。アルミニウム塩は、非接触型加圧組成物に最も好ましい。
【００２５】
前記制汗剤組成物に使用するための、好ましいアルミニウム塩は次式に従うものが挙げられる。
Ａｌ2（ＯＨ）aＣｌb・ｘＨ2Ｏ
式中、ａは約２〜約５であり、ａとｂの合計は約６であり、ｘは約１〜約６であり、ここでａ、ｂ、及びｘの値は非整数であってもよい。特に好ましいのは、ａ＝５であるとき「５／６塩基性クロルヒドロキシド」、及びａ＝４であるとき「２／３塩基性クロルヒドロキシド」と称される、アルミニウムクロルヒドロキシドである。アルミニウム塩を調製するための方法は、米国特許第３，８８７，６９２号（ジルマン（Gilaman）、１９７５年６月３日発行）、米国特許第３，９０４，７４１号（ジョーンズ（Jones）ら、１９７５年９月９日発行）、米国特許第４，３５９，４５６号（ゴスリン（Gosling）ら、１９８２年１１月１６日発行）に開示されており、これらすべては参考として本明細書に組み込まれる。アルミニウム塩の混合物は英国特許明細書１，３４７，９５０（シン（Shin）ら、１９７４年２月２７日発行）に記載されている。
【００２６】
制汗剤組成物において使用するためのジルコニウム塩類、特に加圧接触形態におけるものは、以下の式に従うものが挙げられる：
ＺｒＯ（ＯＨ）2-aＣｌa・ｘＨ2Ｏ
式中、ａは０〜約２の値のいずれかの数字であり、ｘは約１〜約７、ここで式中ａ及びｘの値はいずれも整数ではなくてもよい。好ましいジルコニウム塩は、アルミニウム及びグリシンを付加的に含有し、一般にＺＡＧ錯体として知られている錯体である。これらのＺＡＧ錯体は、上述の式に一致するアルミニウムクロルヒドロキシド及びヒドロキシ塩化ジルコニウムを含有する。このようなＺＡＧ錯体は、米国特許第３，６７９，０６８号（レダーズ（Luedders）ら、１９７４年２月１２日発行）、英国特許出願２，１４４，９９２（カラグハン（Callaghan）ら、１９８５年３月２０日発行）、及び米国特許第４，１２０，９４８号（シェルトン（Shelton）、１９７８年１０月１７日発行）に記載されている。ジルコニウム塩は、好ましくは、皮膚の上をこする塗布デバイスを介して、製品を送達する製品において使用される。
【００２７】
該組成物に使用するのに好適な制汗剤活性物質には、アルミニウムクロロハイドレート、アルミニウムジクロロハイドレート、アルミニウムセスキクロロハイドレート、アルミニウムクロロハイドレックスプロピレングリコール錯体、アルミニウムジクロロハイドレックスプロピレングリコール錯体、アルミニウムセスキクロロハイドレックスプロピレングリコール錯体、アルミニウムクロロハイドレックスポリエチレングリコール錯体、アルミニウムジクロロハイドレックスポリエチレングリコール錯体、アルミニウムセスキクロロハイドレックスポリエチレングリコール錯体、緩衝化したアルミニウムスルフェート、及びそれらの組合せが挙げられる。
【００２８】
本発明の防臭剤組成物は、防臭剤活性物質を組成物の重量の約０．００１％〜約５０％、好ましくは約０．０１％〜約２０％、より好ましくは約０．１％〜約１０％、なおさらに好ましくは約０．１％〜約５％の範囲の濃度で含んでよい。これらの防臭活性物質には、ヒトの皮膚への局所適用に好適な、任意で公知の又はそうでなければ安全且つ有効な防臭活性物質又は芳香剤が含まれる。他に特定されない限り、本明細書中で使用されるとき、用語「防臭剤活性物質」は、一般的に、発汗の結果生じる悪臭を防ぐか又は排除するか又はカバー又はマスク可能な局所物質をいう。
【００２９】
本発明の防臭剤組成物中で使用するのに好適な防臭剤活性物質としては、抗菌剤（例えば、殺菌剤、殺真菌剤）、悪臭吸収物質、芳香剤又はそれらの組合せが挙げられる。好ましい防臭剤活性物質は抗菌剤であり、その非限定的な例としては臭化セチルトリメチルアンモニウム、塩化セチルピリジニウム、塩化ベンゼトニウム、塩化ジイソブチルフェノキシエトキシエチルジメチルベンジルアンモニウム、Ｎ−ラウリルサルコシンナトリウム、Ｎ−パルメチルサルコシンナトリウム、ラウロイルサルコシン、Ｎ−ミリストイルグリシン、Ｎ−ラウリルサルコシンカリウム、塩化トリメチルアンモニウム、ナトリウムアルミニウムクロロヒドロキシラクテート、クエン酸トリエチル、トリセチルメチルアンモニウムクロリド、２，４，４’−トリクロロ−２’−ヒドロキシジフェニルエーテル（トリクロサン）、３，４，４’−トリクロロカルバニリド（トリクロロカルバン）、Ｌ−リジンヘキサデシルアミドのようなジアミノアルキルアミド類、クエン酸、サリチル酸、及びピロクトースの重金属塩、特に亜鉛塩、並びにそれらの酸、ピリチオンの重金属塩、特に亜鉛ピリチオン、フェノールスルホン酸亜鉛、ファルネソール、及びこれらの組合せが挙げられるが、これに限定されない。
【００３０】
他の防臭剤活性物質としては、アルカリ金属炭酸塩及び重炭酸塩、アンモニウム及びテトラアルキルアンモニウムを包含する、炭酸塩及び重炭酸塩のような悪臭吸収物質が挙げられる。好ましくは、このような悪臭吸収物質のナトリウム塩及びカリウム塩である。
【００３１】
他の防臭剤活性物質としては、汗に関連する悪臭をマスクすることが知られているか、マスクすることに有効であることが知られている芳香剤、又は所望の香料を含む組成物を提供する芳香剤が挙げられる。これらの芳香剤には、皮膚への局所適用に好適ないずれかの香料又は香料用化学薬品が含まれる。防臭剤組成物における芳香剤質の濃度は、悪臭が組成物そのものに本来付随するか又はヒトの発汗にともなって生じる際、所望の芳香特性を提供するか又は悪臭をマスクするために効果的な程度であるべきである。
【００３２】
芳香剤は当業者によってきわめてさまざまの種類及び強さで製造される。一般的な芳香剤質は、アークタンダー（Arctander）著、「芳香剤と芳香化学（Perfume and Flavour Chemicals）」アロマケミカルズ社（Aroma Chemicals）、Ｉ巻及びＩＩ巻（１９６９年）；及びアークタンダー（Arctander）著、「天然の芳香剤と芳香材料（Perfume and Flavour Materials of Natural Origin）」（１９６０年）に記載されている。参考として本明細書に組み入れられる米国特許第４，３２２，３０８号及び米国特許第４，３０４，６７９号には、芳香剤成分が開示されており、一般的には、揮発性フェノール系物質（サリチル酸イソアミル、サリチル酸ベンジル、及びタイムオイルレッド等）；精油（ゼラニウム油、パチョリ油、及び小型穀物（petitgrain）油等）；柑橘油；抽出物及び樹脂；「合成」油（ベルガノット（Berganot）３７及び４３０、ゼラニウム（Geranium）７６及びポメランゾル（Pomeransol）３１４等）；アルデヒド及びケトン類（Ｂ−メチルナフチルケトン、ｐ−ｔ−ブチル−Ａ−メチルヒドロシンナミックアルデヒド、及びｐ−ｔ−アミルシクロヘキサノン等）；多環式化合物（クマリン及びβ−ナフチルメチルエーテル等）；エステル類（フタル酸ジエチル、フェニル酢酸フェニルエチル、非アノリド（non-anolide)−１：４等）が挙げられるが、これらに限定されない。芳香剤にはさらに、花材及び果物より誘導されたエステル類及び精油、柑橘類油、無水物（absolutes）、アルデヒド、樹脂性物質、ジャコウ及びその他の動物性の香り（例えば、シベット、カストリウム、及びジャコウの天然単離物質）、バルサムなど、及び（ジミリセトール（dimyrcetol）、フェニルエチルアルコール及びテトラヒドロムグオール（tetrahydromuguol）のような）アルコール類が含まれる。本明細書の芳香剤に有用な構成成分の例としては、デシルアルデヒド、ウンデシルアルデヒド、ウンデシレンアルデヒド、ラウリルアルデヒド、アミルケイ皮アルデヒド、エチルメチルフェニルグリシデート、メチルノニルアセトアルデヒド、ミリスチンアルデヒド、ノナラクトン、ノニルアルデヒド、オクチルアルデヒド、ウンデカラクトン、ヘキシルケイ皮アルデヒド、ベンズアルデヒド、バニリン、ヘリオトロピン、樟脳、パラ−ヒドロキシフェノルブタノン、６−アセチル−１，１，３，４，４，６−ヘキサメチルテトラヒドロナフタレン、α−メチルイオノン、γ−メチルイオノン、及びアミル−シクロヘキサノン及びこれらの構成成分の混合物が挙げられる。
【００３３】
米国特許第５，５５４，５８８号、米国特許第４，２７８，６５８号、米国特許第５，５０１，８０５号、及び欧州特許出願６８４０３７Ａ１（これらすべては、その全体が参考として本明細書に組み込まれる）に記載される、他の好適な悪臭マスキング芳香剤のいくつかの非限定的な例。好ましい臭気マスキング芳香剤は、欧州特許出願６８４０３７Ａ１に記載されている消臭効果測定テストによって測定した、防臭剤の消臭効果値が少なくとも約０．２５、さらに好ましくは約０．２５〜約３．５、さらに一層好ましくは約０．９〜約３．５である芳香剤である。本発明に使用する芳香剤には、当業者には周知の可溶化剤、希釈液、又は溶媒も含み得る。このような材料はアークタンダー（Arctander）著、「芳香剤質と芳香化学（Perfume and Flavour Chemicals）」、アロマケミカルズ社（Aroma Chemicals）、Ｉ巻及びＩＩ巻（１９６９年）に記載されている。これらの材料には、代表的には少量のジプロピレングリコール、ジエチレングリコール、Ｃ１〜Ｃ６アルコール類、及び／又はベンジルアルコールが含まれる。
【００３４】
（活性溶媒）
本発明の液体エアゾール制汗剤製品及び防臭剤製品は、ヒトの体に適用するのに好適な制汗剤及び／又は防臭剤活性物質を溶解可能な液体を含有する。溶媒の選択は、制汗剤及び／又は防臭剤活性物質の選択に依存する。好ましい溶媒としては、水、エタノール、液体ポリオール類が挙げられる。
【００３５】
本発明の液体制汗剤製品について、好ましい溶媒は、液体ポリオールである。本発明の制汗剤組成物において使用するための最も好ましい液体ポリオールは、少なくとも３個の炭素原子を有し、以下の式に適合する液体ポリオールのα位及びβ位で隣接するヒドロキシ置換された炭素原子を有するように選択される：
【００３６】
【化１】
2005529149.tif 000004
式中Ｒはアミド、エステル、アルキル、エーテル又はシリコーン含有部分であり、各部分は少なくとも１個の炭素原子を含有する。Ｒ基は、好ましくはアルキル又はエーテル基、より好ましくは約１〜約１０個の炭素原子、より好ましくは約２〜約６個の炭素原子を有する、アルキル基である。液体ポリオールは好ましくは全部で２個又は３個のヒドロキシル基を有する。
【００３７】
液体ポリオールのＲ基は、したがって、置換又は非置換、分枝状又は直鎖状又は環状、飽和又は非飽和でありうる。好適な置換基の非限定的な例としては、ヒドロキシル基、アミン、アミド、エステル、エーテル、アルコキシレート基（例えば、エトキシレート、プロポキシレートなど）等が挙げられる。
【００３８】
本発明の加圧組成物に使用するのに好適な液体ポリオール類の非限定的な例には、１，２−プロピレングリコール、グリセリン、１，２−ブタンジオール；１，２−ペンタンジオール；４−メチル−１，２−ペンタンジオール；２−メチル−１，２−ペンタンジオール；３，３−メチル−１，２−ブタンジオール；４−メチル−１，２−ヘキサンジオール；１，２−ヘプタンジオール；３−フェニル−１，２−プロパンジオール；１，２，６−ヘキサントリオール；１，２−ヘキサンジオール；１，２，４−ブタントリオール；及びこれらの組合せが挙げられる。その他の好適な液体ポリオールとしては、例えばグリセロールイソプロピルエーテル；グリセロールプロピルエーテル；グリセロールエチルエーテル；グリセロールメチルエーテル；グリセロールブチルエーテル；グリセロールイソペンチルエーテル；ジグリセロールイソプロピルエーテル；ジグリセロールイソブチルエーテル；ジグリセロール；トリグリセロール；トリグリセロールイソプロピルエーテル；及びこれらの組合せのようなグリセロールエーテルが挙げられる。さらにその他の好適な液体ポリオールには、酢酸グリセロールエステル；プロパン酸グリセロールエステル；ブタン酸グリセロールエステル；３−メチルブタン酸グリセロールエステル；及び３−トリメチルシリ−１，２−プロパンジオール（3-trimethylsily-1,2-propanediol）；米国特許第５，９６９，１７２号（ナイ（Nye））に記載されているようなシリコーン含有１，２−ジオール、及びこれらの組合せが挙げられる。
【００３９】
（キャリア液）
本発明の液体エアゾール制汗剤製品及び防臭剤製品は、通常は、化粧品的に受容可能な様式で皮膚表面に制汗剤活性物質を送達するのに役立つキャリア液を含む。本発明のエアゾール制汗剤及び防臭剤組成物において使用するために好適なキャリア液体としては、消費者に望ましい化粧品的体験（例えば、さらさら感、べとつかず、刺激がない）を与える任意の溶媒が挙げられる。好ましいキャリア液としては、皮膚への局所適用に公知であるか、さもなければ好適ないずれかのシリコーン又はシリコーン含有材料が挙げられ、ただし、シリコーン又はシリコーン含有材料は、周囲条件下で液体であるか、さもなければ本発明の加圧制汗剤組成物内で液体形態である。
【００４０】
本組成物におけるシリコーン液の濃度は、好ましくは加圧制汗剤組成物の約０．１重量％〜約５０重量％、より好ましくは約１重量％〜約２５重量％、より好ましくは約２重量％〜約１５重量％の範囲である。
【００４１】
好適な揮発性シリコーンの非限定的な例は、トッド（Todd）らの「化粧品用揮発性シリコーン流体（Volatile Silicone Fluids for Cosmetics）」、コスメティクス・アンド・トイレタリーズ（Cosmetics and Toiletries）、９１：２７〜３２（１９７６年）に記載され、これらの記載内容は本明細書に参考文献として組み込まれる。これらの揮発性シリコーンのうち、約３〜約７個、より好ましくは約５〜約６個のケイ素原子を有する環式シリコーンが好ましい。最も好ましいのは、次の式に従うものである。
【００４２】
【化２】
2005529149.tif 000005
式中、ｎは約３〜約７、好ましくは約５〜約６、最も好ましくは５である。これらの揮発性環状シリコーン類は、一般的に、２５℃で測定される場合、約０．００００１ｍ2／ｓ（１０センチストーク）未満の粘度値を有する。本明細書中で用いられる好適な揮発性シリコーンとしては、シクロメチコン（Cyclomethicone）Ｄ−５（Ｇ．Ｅ．シリコーンズ（G.E.Silicones）から市販されている）；ＤＣ１１８４、ダウ・コーニング（Dow Corning）３４４、及びダウ・コーニング（Dow Corning）３４５（ダウ・コーニング社（Dow Corning Corp.）から市販されている）；ＧＥ７２０７、ＧＥ７１５８、及びシリコーン流体（Silicones Fluids）ＳＦ−１２０２及びＳＦ−１１７３（ゼネラルエレクトリック社（General Electric Co.）から入手できる）；ＳＷＳ−０３３１４、ＳＷＳ−０３４００，Ｆ−２２２、Ｆ−２２３、Ｆ−２５０、Ｆ−２５１（ＳＷＳシリコーンズ社（SWS Silicones Corp.）から入手できる）；揮発性シリコーン（Volatile Silicones）７１５８、７２０７、７３４９（ユニオンカーバイド（Union Carbide）から入手できる）；マーシル（Masil）ＳＦ−Ｖ（メイザー（Mazer）から入手できる）及びそれらの組合せが挙げられるが、これらに限定されない。揮発性シリコーン液の中で最も好適なのは、シクロペンタシロキサンである。
【００４３】
本発明のエアゾール制汗剤組成物の不揮発性シリコーン液体の非限定例は、以下の式のいずれかに従うものが挙げられる：
【００４４】
【化３】
2005529149.tif 000006
式中、ｎは１又は１より大きい。これらの直鎖シリコーン材料は、一般的に、周囲条件下で測定される場合、約０．００００１ｍ2／ｓ（１０センチストーク）〜約０．１ｍ2／ｓ（１００，０００センチストーク）、好ましくは約０．０００５ｍ2／ｓ（５００センチストーク）未満、より好ましくは約０．００００１ｍ2／ｓ（１０センチストーク）〜約０．０００２ｍ2／ｓ（２００センチストーク）、なおさらに好ましくは約０．００００１ｍ2／ｓ（１０センチストーク）〜約０．００００５ｍ2／ｓ（５０センチストーク）の粘度値を有する。制汗剤組成物での使用に適する非揮発性直鎖シリコーンの非限定的な例としては、ダウ・コーニング（Dow Corning）２００、ローヌ−プーラン（Rhone-Poulenc）から入手できるロードシルオイル（Rhodorsil Oils）７００４７、メイザー（Mazer）から入手できるマーシル（Masil）ＳＦ流体、ダウ・コーニング２２５、ダウ・コーニング１７３２、ダウ・コーニング５７３２、ダウ・コーニング５７５０（ダウ・コーニング社（Dow Corning Corp.）から入手できる）；ＳＦ−９６、ＳＦ−１０６６及びＳＦ１８（３５０）シリコーン流体（Ｇ．Ｅ．シリコーンズ（G.E.Silicones）から入手できる）；ベルバシル（Velvasil）及びビスカシル（Viscasil、ゼネラルエレクトリック社（General Electric Co.）から入手できる）；シリコーン（Silicone）Ｌ−４５、シリコーンＬ−５３０、シリコーンＬ−５３１（ユニオンカーバイド（Union Carbide）から入手できる）及びシロキサン（Siloxane）Ｆ−２２１、シリコーン流体（Silicone Fluid）ＳＷＳ−１０１（ＳＷＳシリコーンズ社（SWS Silicones）から入手できる）が挙げられるがこれらに限定されない。
【００４５】
本発明の無水エアゾール制汗剤組成物に使用するキャリア液体としてのその他のシリコーン液には、ポリアルキルシロキサン類、ポリアルキルアリールシロキサン類（polyalkyarylsiloxanes）、架橋シリコーンエラストマー類、ポリエステルシロキサン類、ポリエーテルシロキサンコポリマー類、ポリフルオロシロキサン類、ポリアミノシロキサン類、及びそれらの組合せのような変性又は有機官能性シリコーンキャリアが挙げられる。これらの変性シリコーンキャリアは、典型的には、周囲条件下で液体であり、約０．１ｍ2／ｓ（１００，０００センチストーク）未満、より好ましくは約５００センチストーク未満、なおさらに好ましくは約１センチストーク〜約０．００００５ｍ2／ｓ（５０センチストーク）、最もより好ましくは約０．０００００１ｍ2／ｓ（１センチストーク）〜約０．００００２ｍ2／ｓ（２０センチストーク）の好ましい粘度を有する。これらの変性シリコーンキャリアは、一般的に化学分野で公知であり、これらのいくつかの例は、１コスメティックス・サイエンス・アンド・テクノロジー（Cosmetics,Science and Technology）２７−１０４（Ｍ．バルサム（Balsam）及びＥ．サガリン（Sagarin）編、１９７２年）；米国特許第４，２０２，８７９号（シェルトン（Shelton）、１９８０年５月１３日発行）；米国特許第５，０６９，８９７号（オール（Orr）、１９９１年１２月３日発行）（これらは本明細書に参考として組み込まれる）に記載されている。
【００４６】
他の非シリコーンベースキャリア液はまた、異なる皮膚の感触のオプションを提供するために本発明において使用することができる。これらのいくつかにはまた、１価アルコール及び多価アルコール、脂肪酸、１塩基性カルボン酸及び２塩基性カルボン酸と１価アルコール及び多価アルコールとのエステル、ポリオキシエチレン、ポリオキシプロピレン、アルコールのポリアルコキシル化エーテル、及びそれらの組合せもまた包含してもよい。好ましくはそのような液体キャリアは、周囲条件下で水と混和する液体である。１，２−ヘキサンジオールと組合せて用いるのに好適な、他の水混和性の極性有機液体キャリア又は極性有機溶媒は、コスメティックス・サイエンス・アンド・テクノロジー（Cosmetics，Science，and Technology）１巻、２７〜１０４頁、バルサム（Balsam）及びサガリン（Sagarin）編集（１９７２年）；米国特許第４，２０２，８７９号（シェルトン（Shelton）、１９８０年５月１３日発行）；及び米国特許第４，８１６，２６１号（レッベ（Luebbe）ら、１９８９年３月２８日発行）に記載されており、参考として本明細書に組み込まれる。
【００４７】
本発明において用いるためのその他の液体キャリアとしては、水混和性、極性有機液体キャリア又は極性有機溶媒が挙げられ、その例にはエタノールのような短鎖アルコール、及びプロピレングリコール、ヘキシレングリコール、ジプロピレングリコール、トリプロピレングリコールなどのようなグリコール溶媒が挙げられる。その他の好適な類似する溶媒にはさらに、ポリエチレングリコール、ポリプロピレン（polyproylene）グリコール、それらの組合せ及び誘導体などのようなポリアルコキシル化キャリアも含まれる。本明細書で使用するのに好適な極性溶媒の非限定例は、米国特許第５，４２９，８１６号に記載される。
【００４８】
本発明において使用するための任意の液体キャリアとしてはまた、鉱物油、ワセリン、イソヘキサデカン、イソドデカンのような非極性キャリア、イソパー（Isopar）又はノルパー（Norpar）シリーズ（エクソン社（Exxon Corp.）より市販）、又はパーメチル（Permethyl）シリーズ（パースパース（Persperse）より市販）、及びソルトロール（Soltrol）シリーズ（フィリップス・ケミカル（Phillips Chemical）より市販）のような様々な炭化水素油、及びいずれかの他の極性又は非極性、水混和性、有機液体キャリア体又はその他の既知の、或いはそうでなければヒトの皮膚への局所適用に安全かつ有効な溶媒を包含し得る。
【００４９】
本組成物と組合せて使用するためのその他任意の液体キャリアとしては、フッ素性化学物質、例えば、フッ素系界面活性剤、フッ素テレマー、及び過フッ素ポリエーテルが挙げられ、それらのいくつかの例は、コスメティックス・アンド・トイレタリーズ（Cosmetics & Toiletries）、局所調製物においてフッ素化化合物を使用すること（Using Fluorinated Compounds in Topical Preparations）、第１１１巻、４７〜６２頁、（１９９６年１０月）中に記載され、その記載は本明細書中に参考として組み込まれる。このような液体キャリアのより具体的な例としては、パーフルオロポリメチルイソプロピルエーテル、パーフルオロポリプロピルエーテル、アクリルアミドフッ素化テロマー、フッ素化アミド界面活性剤、パーフルオロ化チオール界面活性剤例が挙げられるが、これらに限定されない。他のより特定的な例としては、限定されないが、商品名フルオロトレス（Fluortress）（登録商標）ＰＦＰＥ油の下でデュポンパフォーマンスケミカルズ（Dupont Performance Chemicals）から市販のポリパーフルオロイソプロピルエーテル類、及び商品名ゾニル（Zonyl）（登録商標）フッ素系界面活性剤の下でデュポンパフォーマンスケミカルズ（Dupont Performance Chemicals）から市販のフッ素形界面活性剤シリーズが挙げられる。
【００５０】
以上、本発明の様々な実施形態を示し、記載したが、本発明の範囲を逸脱することなく当業者による適切な修正により、本明細書に記載されたような本発明の更なる適応をさせることができる。これらの可能性のある変更及び代替案についてはすでに説明したものもあり、及びその他については当業者には明白であろう。例えば、発明システムの代表的な実施形態を説明の目的で論じたが、記載された要素は、技術的な進歩により絶えず更新され、及び改善されてもよいことを理解する必要がある。それ故に、本発明の範囲は以下の請求項に関して考察されるべきであり、明細書及び図面に示し及び説明した構成、操作又は処理工程の詳細事項に限定されないことが理解される。
【図面の簡単な説明】
【００５１】
【図１】本発明に従う、定量バルブアセンブリ及び容器を備えるスプレーパッケージの断面図である。
【図２】従来技術において一般的に見出されるスプレーパッケージのための連続フローバルブアセンブリの断面図である。
【図１】
2005529149.tif 000007
【図２】
2005529149.tif 000008
【国際調査報告】
2005529149.tif 000009
2005529149.tif 000010
2005529149.tif 000011